【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
モバイルデバイスに関連付けられたセンサで、ネットワークデバイスからセンサ情報を検出するステップであって、前記センサ情報が前記ネットワークデバイスに関連付けられた設定情報を表す、ステップと、
前記ネットワークデバイスから検出された前記センサ情報に基づいて前記設定情報を復号するステップと、
前記復号された設定情報に少なくとも部分的に基づいて前記ネットワークデバイスを通信ネットワークに登録するステップと、
前記ネットワークデバイスを前記通信ネットワークに登録するステップの後に、前記ネットワークデバイスの動作パラメータを変化させることを決定するステップと、
前記モバイルデバイスで、前記ネットワークデバイスを含むクエリ画像を取り込むステップと、
前記取り込まれたクエリ画像に少なくとも部分的に基づいて複数の以前に登録されたネットワークデバイスから前記ネットワークデバイスを識別するステップと、
前記ネットワークデバイスの前記動作パラメータを変化させるための、前記ネットワークデバイスに関連付けられた通信パラメータを決定するステップと、
前記ネットワークデバイスの前記通信パラメータを変化させるためのコマンドを提供するための、前記ネットワークデバイスとの通信リンクを確立するステップと
を含む、方法。
【請求項２】
前記センサ情報が、光信号、音声信号、超音波信号、赤外線信号、近接場通信(NFC)信号、バーコード、クイックレスポンス(QR)コード、無線周波数識別子(RFID)信号、ワイヤレスローカルエリアネットワーク(WLAN)信号、および電力線通信(PLC)信号のうちの少なくとも1つである、請求項1に記載の方法。
【請求項３】
前記複数の以前に登録したネットワークデバイスから前記ネットワークデバイスを識別する前記ステップが、
前記クエリ画像を、前記モバイルデバイスに関連付けられた所定のデータベース内の前記複数の以前に登録したネットワークデバイスの画像と比較するステップと、
第1の以前に登録したネットワークデバイスと前記クエリ画像との間の相関が相関閾値を超えることを判断するステップと、
前記第1の以前に登録したネットワークデバイスを、前記変化させる動作パラメータに関連付けられた前記ネットワークデバイスとして選択するステップとを含む、請求項1に記載の方法。
【請求項４】
前記クエリ画像と前記第1の以前に登録されたネットワークデバイスおよび第2の以前に登録されたネットワークデバイスの各々との間の相関が前記相関閾値を超えたと判定したことに応答して、前記方法はさらに、
前記通信ネットワーク内の前記複数の以前に登録したネットワークデバイスの位置を示すマップに少なくとも部分的に基づいて、前記第1の以前に登録したネットワークデバイスを、前記変化させる動作パラメータに関連付けられた前記ネットワークデバイスとして選択するステップであって、前記マップが2次元マップまたは3次元マップである、ステップと、
前記通信ネットワーク内の前記モバイルデバイスの現在の位置に少なくとも部分的に基づいて、前記第1の以前に登録したネットワークデバイスを、前記変化させる動作パラメータに関連付けられた前記ネットワークデバイスとして選択するステップと、
前記モバイルデバイスのユーザに関連付けられた時刻およびスケジュール情報に少なくとも部分的に基づいて、前記第1の以前に登録したネットワークデバイスを、前記変化させる動作パラメータに関連付けられた前記ネットワークデバイスとして選択するステップと、
ユーザコンテキストおよびユーザ行動の少なくとも一方に基づいて、前記第1の以前に登録したネットワークデバイスを、前記変化させる動作パラメータに関連付けられた前記ネットワークデバイスとして選択するステップと、
前記第1の以前に登録したネットワークデバイスと前記第2の以前に登録したネットワークデバイスの各々に関連付けられた飛行時間情報の解析に基づいて、前記第1の以前に登録したネットワークデバイスを、前記変化させる動作パラメータに関連付けられた前記ネットワークデバイスとして選択するステップと
のうちの少なくとも1つを含む、請求項3に記載の方法。
【請求項５】
ネットワークインターフェースと、
前記ネットワークインターフェースに結合された設定および制御ユニットと、
を備えるモバイルデバイスであって、前記設定および制御ユニットが、
通信ネットワークにネットワークデバイスを設定するように決定し、
前記モバイルデバイスに関連付けられたセンサで、前記ネットワークデバイスからセンサ情報を検出するように構成され、前記センサ情報が前記ネットワークデバイスに関連付けられた設定情報を表し、
前記ネットワークデバイスから検出された前記センサ情報に基づいて前記設定情報を復号し、
前記復号された設定情報に少なくとも部分的に基づいて、前記ネットワークデバイスがアクセスポイントを介して前記通信ネットワークに接続できるようにするために、前記通信ネットワークの前記アクセスポイントに関連付けられた通信デバイス資格情報を前記ネットワークデバイスに提供するように動作可能であり、
前記ネットワークデバイスを前記通信ネットワークに接続できるようにした後に、前記設定および制御ユニットはさらに、
前記ネットワークデバイスの動作パラメータを変化させることを決定し、
前記ネットワークデバイスを含むクエリ画像を取り込み、
前記取り込まれたクエリ画像に少なくとも部分的に基づいて複数の以前に登録されたネットワークデバイスから前記ネットワークデバイスを識別し、
前記ネットワークデバイスの前記動作パラメータを変化させるための、前記ネットワークデバイスに関連付けられた通信パラメータを決定し、
前記ネットワークデバイスに関連付けられた前記通信パラメータに少なくとも部分的に基づいて、前記ネットワークデバイスの前記動作パラメータを変化させるためのコマンドを提供するための、前記ネットワークデバイスとの通信リンクを確立する
ように動作可能である、
モバイルデバイス。
【請求項６】
前記ネットワークデバイスが、光源を使用して、前記設定情報に関連付けられたセンサ情報を提供するように構成されている場合、前記ネットワークデバイスから前記センサ情報を検出するように動作可能な前記設定および制御ユニットが、
前記モバイルデバイスに関連付けられた光センサを使用し、前記ネットワークデバイスから光波形を検出するように動作可能な前記設定および制御ユニットであって、前記光源によって生成された前記光波形の変動率が前記設定情報に従って変化する、前記設定および制御ユニット、または、
前記モバイルデバイスに関連付けられた前記光センサを使用し、前記ネットワークデバイスから光波形を検出するように動作可能な前記設定および制御ユニットであって、前記光源によって生成された前記光波形の強度が前記設定情報に従って変化する、前記設定および制御ユニットのうちの一方を備え、
前記設定情報を復
号するように動作可能な前記設定および制御ユニットが、
前記ネットワークデバイスから受信した前記光波形を解析することに基づいて光強度の変動を検出し、
前記光波形の前記光強度の前記検出された変動に基づいて前記設定情報を復号するように動作可能な前記設定および制御ユニットを備える、請求項5に記載のモバイルデバイス。
【請求項７】
前記ネットワークデバイスが、音声生成器を使用して、前記設定情報に関連付けられたセンサ情報を提供するように構成されている場合、前記ネットワークデバイスから前記センサ情報を検出するように動作可能な前記設定および制御ユニットが、
前記モバイルデバイスに関連付けられた音声センサを使用して、前記ネットワークデバイスから音声波形を検出するように動作可能な前記設定および制御ユニットであって、前記音声波形の少なくとも1つのパラメータが前記設定情報に従って変化する、前記設定および制御ユニットを備え、
前記設定情報を復
号するように動作可能な前記設定および制御ユニットが、
前記ネットワークデバイスから受信した前記音声波形を解析することに基づいて前記音声波形の前記少なくとも1つのパラメータの変動を検出し、
前記音声波形の前記少なくとも1つのパラメータの前記検出された変動に基づいて前記設定情報を復号するように動作可能な前記設定および制御ユニットを備える、請求項5に記載のモバイルデバイス。
【請求項８】
前記ネットワークデバイスが、前記設定情報を表す所定のコードに関連付けられている場合、前記ネットワークデバイスから前記センサ情報を検出するように動作可能な前記設定および制御ユニットが、
前記モバイルデバイスに関連付けられたスキャンデバイスを使用し、前記ネットワークデバイスに関連付けられた前記所定のコードを検出するように動作可能な前記設定および制御ユニットであって、前記所定のコードが前記設定情報を表す、前記設定および制御ユニット、または、
前記モバイルデバイスに関連付けられたカメラを使用し、前記ネットワークデバイスに関連付けられた前記所定のコードの画像を取り込むように動作可能な前記設定および制御ユニットのうちの一方を備え、
前記設定情報を復
号するように動作可能な前記設定および制御ユニットが、
前記ネットワークデバイスに関連付けられた前記検出された所定のコードに基づいて前記設定情報を復号するように動作可能な前記設定および制御ユニット、または、
前記ネットワークデバイスに関連付けられた前記所定のコードの前記取り込まれた画像に基づいて前記設定情報を復号するように動作可能な前記設定および制御ユニットのうちの一方を備える、請求項5に記載のモバイルデバイス。
【請求項９】
前記クエリ画像と第1の以前に登録されたネットワークデバイスおよび第2の以前に登録されたネットワークデバイスの各々との間の相関が相関閾値を超えると判断する前記設定および制御ユニットに応答して、前記設定および制御ユニットが、
前記通信ネットワーク内の前記複数の以前に登録されたネットワークデバイスの位置を示すマップに少なくとも部分的に基づいて、前記第1の以前に登録されたネットワークデバイスを、前記変化させる動作パラメータに関連付けられた前記ネットワークデバイスとして選択することであって、前記マップが2次元マップまたは3次元マップである、ことと、
前記通信ネットワーク内の前記モバイルデバイスの現在の位置に少なくとも部分的に基づいて、前記第1の以前に登録されたネットワークデバイスを、前記変化させる動作パラメータに関連付けられた前記ネットワークデバイスとして選択することと、
前記モバイルデバイスのユーザに関連付けられた時刻およびスケジュール情報に少なくとも部分的に基づいて、前記第1の以前に登録されたネットワークデバイスを、前記変化させる動作パラメータに関連付けられた前記ネットワークデバイスとして選択することと、
ユーザコンテキストおよびユーザ行動の少なくとも一方に基づいて、前記第1の以前に登録されたネットワークデバイスを、前記変化させる動作パラメータに関連付けられた前記ネットワークデバイスとして選択することと、
前記第1の以前に登録したネットワークデバイスと前記第2の以前に登録したネットワークデバイスの各々に関連付けられた飛行時間情報の解析に基づいて、前記第1の以前に登録されたネットワークデバイスを、前記変化させる動作パラメータに関連付けられた前記ネットワークデバイスとして選択することとのうちの少なくとも1つを行うようにさらに動作可能である、請求項5に記載のモバイルデバイス。
【請求項１０】
プロセッサにより実行されたときに、請求項１乃至４の何れか１項に記載の方法を前記プロセッサに実行させる命令を格納した、機械可読記憶媒体。